(57)【要約】【課題】信頼性の高い通信を行える無線タグラベルを作成する。【解決手段】タグラベル作成装置４Ｃは、情報を記憶するＩＣ回路部１５１とタグ側アンテナ１５２とを有し複数種類の通信周波数にそれぞれ対応した複数種類の無線タグ回路素子Ｔoを備えた基材テープ１０１を搬送するためのテープ送りローラ駆動軸１２と、搬送される印字済タグラベル用テープ１１０の複数種類の無線タグ回路素子Ｔoに対し、複数種類の通信周波数を用いて情報送受信を行うためのアンテナ１４とを有し、中央制御部２８が、無線タグラベルＴを作成するためのタグラベル作成指令が操作端末２より入力されたとき、その指令に対応した、複数種類の無線タグ回路素子Ｔoをそれぞれ用いた複数種類の無線タグラベルＴを、一括して作成するように、連携制御を行う。【選択図】図８
2008242653.tif 000002
【特許請求の範囲】
【請求項１】
無線タグラベルを作成するためのタグラベル作成指令を入力する指令入力手段と、
情報を記憶するＩＣ回路部と情報を送受信するタグ側アンテナとを有し複数種類の通信周波数にそれぞれ対応した複数種類の無線タグ回路素子を備えたタグ媒体を搬送するための搬送手段と、
前記搬送手段で搬送される前記タグ媒体の前記複数種類の無線タグ回路素子に対し、前記複数種類の通信周波数を用いて情報送受信を行うためのタグアクセス手段と、
前記指令入力手段で前記タグラベル作成指令が入力されたとき、その指令に対応した、前記複数種類の無線タグ回路素子をそれぞれ用いた複数種類の無線タグラベルを、一括して作成するように、前記搬送手段及び前記タグアクセス手段を連携制御する連携制御手段と
を有することを特徴とするタグラベル作成装置。
【請求項２】
請求項１記載のタグラベル作成装置において、
前記搬送手段は、
前記複数種類の無線タグ回路素子を備えた複数のタグ媒体をそれぞれ搬送するための複数の個別搬送手段から構成されており、
前記タグアクセス手段は、
前記複数種類の無線タグ回路素子に関わる前記複数種類の通信周波数それぞれを用いて情報送受信を行うための複数の個別タグアクセス手段から構成されており、
前記複数種類の無線タグ回路素子に対応して設けられ、それぞれが前記個別搬送手段及び前記個別タグアクセス手段を有する複数のラベル作成処理部が、
対応する前記タグ媒体を供給可能に収納した通常無線タグ回路素子収納体を着脱可能な通常収納体設置ホルダと、
前記通常収納体設置ホルダに設置された前記通常無線タグ回路素子収納体から供給された前記タグ媒体又はこれに貼り合わされる被印字媒体に所定の印字を行う個別印字手段とを有する
ことを特徴とするタグラベル作成装置。
【請求項３】
請求項１記載のタグラベル作成装置において、
前記搬送手段は、
前記複数種類の無線タグ回路素子に対応した複数のタグ媒体を搬送するために共通に１つ設けられた共通搬送手段であり、
前記タグアクセス手段は、
前記複数種類の無線タグ回路素子に関わる前記複数種類の通信周波数それぞれを用いて情報送受信するための複数の個別タグアクセス手段、若しくは、１つの共通タグアクセス手段から構成されており、
前記共通搬送手段により供給された前記タグ媒体又はこれに貼り合わされる被印字媒体に所定の印字を行う共通印字手段を設けた
ことを特徴とするタグラベル作成装置。
【請求項４】
請求項３記載のタグラベル作成装置において、
前記複数のタグ媒体をそれぞれ供給可能に収納した複数の通常無線タグ回路素子収納体を選択的に抽出して前記共通搬送手段による搬送可能位置へセットする収納体設置手段を有し、
前記共通印字手段は、
前記収納体設置手段で設置された前記通常無線タグ回路素子収納体から前記共通搬送手段により供給された前記タグ媒体又は前記被印字媒体に所定の印字を行う
ことを特徴とするタグラベル作成装置。
【請求項５】
請求項３記載のタグラベル作成装置において、
前記複数種類の無線タグ回路素子が混合配置された１つの前記タグ媒体を供給可能に収納した１つの混合無線タグ回路素子収納体を着脱可能な混合収納体設置ホルダを有し、
前記共通印字手段は、
前記混合収納体設置ホルダに設置された前記混合無線タグ回路素子収納体から前記共通搬送手段により供給された前記タグ媒体又は前記被印字媒体に所定の印字を行い、
前記複数の個別タグアクセス手段、若しくは、前記１つの共通タグアクセス手段は、前記共通搬送手段により供給された前記１つのタグ媒体に備えられた前記複数種類の無線タグ回路素子に対し前記複数種類の通信周波数を用いて情報送受信を行う
ことを特徴とするタグラベル作成装置。
【請求項６】
請求項１乃至請求項５のいずれか１項記載のタグラベル作成装置において、
前記搬送手段は、
前記複数種類の無線タグ回路素子として、短波を通信周波数とする短波用無線タグ回路素子と極超短波を通信周波数とする極超短波用無線タグ回路素子とを備えたタグ媒体を搬送し、
前記タグアクセス手段は、
前記短波用無線タグ回路素子に短波を用いて情報送受信を行い、前記極超短波用無線タグ回路素子に極超短波を用いて情報送受信を行う
ことを特徴とするタグラベル作成装置。
【請求項７】
請求項１乃至請求項６のいずれか１項記載のタグラベル作成装置において、
前記連携制御手段は、
前記複数種類の無線タグ回路素子をそれぞれ用いた複数種類の無線タグラベルを、一括して作成するように、前記搬送手段及び前記タグアクセス手段を連携制御する複数種類ラベル作成処理モードと、単一種類の無線タグ回路素子を用いた無線タグラベルを作成するように、前記搬送手段及び前記タグアクセス手段を連携制御する単一種類ラベル作成処理モードとを備えている
ことを特徴とするタグラベル作成装置。
【請求項８】
請求項７記載のタグラベル作成装置において、
前記指令入力手段は、
前記複数種類ラベル作成処理モード若しくは前記単一種類ラベル作成処理モードに対応した識別子を含む前記タグラベル作成指令を入力し、
前記連携制御手段は、
前記タグラベル作成指令に含まれる前記識別子に応じて、前記複数種類ラベル作成処理モード若しくは前記単一種類ラベル作成処理モードの切替を行うモード切替手段を備える
ことを特徴とするタグラベル作成装置。
【請求項９】
タグラベル作成装置のカートリッジホルダに着脱可能に構成された無線タグ回路素子カートリッジであって、
複数種類の通信周波数にそれぞれ対応した複数種類の無線タグ回路素子を混合配置したタグテープを、当該タグテープの長手方向と略直交する軸の周りに巻回したタグテープロールを有することを特徴とする無線タグ回路素子カートリッジ。
【請求項１０】
無線タグラベルを作成するためのタグラベル作成指令を出力する指令出力手段と、
情報を記憶するＩＣ回路部と情報を送受信するタグ側アンテナとを有する無線タグ回路素子を備えたタグ媒体を搬送するための搬送手段と、前記搬送手段で搬送される前記タグ媒体の前記無線タグ回路素子に対し情報送受信を行うためのタグアクセス手段とをそれぞれ有する複数のタグラベル作成装置と
を有するタグラベル作成システムであって、
前記複数のタグラベル作成装置のそれぞれは、
前記搬送手段で、前記無線タグ回路素子の通信周波数が互いに異なるタグ媒体を搬送し、前記タグアクセス手段で、互いに異なる前記通信周波数を用いて対応する前記無線タグ回路素子に対し情報送受信を行い、
前記複数のタグラベル作成装置全体として、前記指令出力手段からの前記タグラベル作成指令に応じ、異なる複数種類の無線タグラベルを一括して作成する
ことを特徴とするタグラベル作成システム。
【請求項１１】
請求項１０記載のタグラベル作成システムにおいて、
前記複数のタグラベル作成装置は、
前記搬送手段で、短波を前記通信周波数とする短波用無線タグ回路素子を備える前記タグ媒体を搬送し、前記タグアクセス手段で、短波を用いて前記短波用無線タグ回路素子に対し情報送受信を行う短波用タグラベル作成装置と、
前記搬送手段で、極超短波を前記通信周波数とする極超短波用無線タグ回路素子を備える前記タグ媒体を搬送し、前記タグアクセス手段で、極超短波を用いて前記極超短波用無線タグ回路素子に対し情報送受信を行う極超短波用タグラベル作成装置とを含む
ことを特徴とするタグラベル作成システム。
【発明の詳細な説明】
【技術分野】
【０００１】
本発明は、外部と情報送受信可能な無線タグ回路素子を備えた無線タグラベルを作成するタグラベル作成装置、これに用いる無線タグ回路素子カートリッジ、及びタグラベル作成システムに関する。
【背景技術】
【０００２】
管理対象の物品に無線タグを設け、その保持された情報を非接触で読み取って物品管理を行うＲＦＩＤ（Ｒａｄｉｏ  Ｆｒｅｑｕｅｎｃｙ  Ｉｄｅｎｔｉｆｉｃａｔｉｏｎ）システムが既に知られている。
【０００３】
このシステムにおいては、無線タグに備えられる無線タグ回路素子が、所定の無線タグ情報を記憶するＩＣ回路部とこのＩＣ回路部に接続されて情報の送受信を行うアンテナとを備えており、無線タグが汚れている場合や見えない位置に配置されている場合であっても、リーダ／ライタ側よりＩＣ回路部の無線タグ情報に対してアクセス（情報の読み取り／書き込み）が可能であり、既に様々な分野において実用化が広く進められている。
【０００４】
このような無線タグの一例としては、例えば特許文献１に記載のものがある。この従来技術による無線タグは、対象物に関する情報を記憶するＩＣ回路部（半導体チップ）と情報送受信を行うアンテナとからなる無線タグ回路素子を２組設け、一方の無線タグ回路素子のアンテナ（第一アンテナ）と、他方の無線タグ回路素子のアンテナ（第二アンテナ）の動作周波数を異ならせている。これにより、例えば複数の無線タグまでの距離がそれぞればらついているような場合等であっても、通信信頼性を向上できるようになっている。
【特許文献１】特開２０００−３３９４２２号公報
【発明の開示】
【発明が解決しようとする課題】
【０００５】
ところで、上記のような無線タグを、ラベル状の素材上に無線タグ回路素子を設けることでラベル化（無線タグラベル）するようにすれば、あらゆる物品に容易に貼り付けて分類・整理することが可能となるため、非常に便利である。
【０００６】
しかしながら、上記従来技術においては、上記のように、無線タグをタグラベルとして構成することについては特に配慮されていない。このため、複数周波数対応による通信信頼性の向上とラベル化による利便性の向上との両立が図られていなかった。
【０００７】
本発明の目的は、信頼性の高い通信を行える無線タグラベルを作成できるタグラベル作成装置、及び無線タグ回路素子カートリッジ、並びにタグラベル作成システムを提供することにある。
【課題を解決するための手段】
【０００８】
上記目的を達成するために、第１の発明は、無線タグラベルを作成するためのタグラベル作成指令を入力する指令入力手段と、情報を記憶するＩＣ回路部と情報を送受信するタグ側アンテナとを有し複数種類の通信周波数にそれぞれ対応した複数種類の無線タグ回路素子を備えたタグ媒体を搬送するための搬送手段と、前記搬送手段で搬送される前記タグ媒体の前記複数種類の無線タグ回路素子に対し、前記複数種類の通信周波数を用いて情報送受信を行うためのタグアクセス手段と、前記指令入力手段で前記タグラベル作成指令が入力されたとき、その指令に対応した、前記複数種類の無線タグ回路素子をそれぞれ用いた複数種類の無線タグラベルを、一括して作成するように、前記搬送手段及び前記タグアクセス手段を連携制御する連携制御手段とを有することを特徴とする。
【０００９】
本願第１発明においては、指令入力手段で入力したタグラベル作成指令に基づく連携制御手段の制御により、搬送手段が複数種類の通信周波数の無線タグ回路素子を備えたタグ媒体を搬送し、タグアクセス手段が上記複数種類の通信周波数をそれぞれ使い分けて対応する無線タグ回路素子と情報送受信を行い、これによって複数種類の無線タグラベルを一括して作成する。
【００１０】
以上のようにして、操作手段の１回の操作に対応したタグラベル作成指令で、実質的に同一の情報を持ち互いに異なる通信周波数である複数の無線タグラベルを（単一の装置で）作成することができる。これにより、それぞれに利点と欠点とがある各通信周波数を併用して、互いの通信周波数の欠点を補うことができるので、信頼性の高い情報通信を確実に行える無線タグラベルを実現することができる。
【００１１】
第２発明は、上記第１発明において、前記搬送手段は、前記複数種類の無線タグ回路素子を備えた複数のタグ媒体をそれぞれ搬送するための複数の個別搬送手段から構成されており、前記タグアクセス手段は、前記複数種類の無線タグ回路素子に関わる前記複数種類の通信周波数それぞれを用いて情報送受信を行うための複数の個別タグアクセス手段から構成されており、前記複数種類の無線タグ回路素子に対応して設けられ、それぞれが前記個別搬送手段及び前記個別タグアクセス手段を有する複数のラベル作成処理部が、対応する前記タグ媒体を供給可能に収納した通常無線タグ回路素子収納体を着脱可能な通常収納体設置ホルダと、前記通常収納体設置ホルダに設置された前記通常無線タグ回路素子収納体から供給された前記タグ媒体又はこれに貼り合わされる被印字媒体に所定の印字を行う個別印字手段とを有することを特徴とする。
【００１２】
本願第２発明においては、タグラベル作成装置が複数のラベル作成処理部を有しており、各ラベル作成処理部が、個別搬送手段と、個別タグアクセス手段と、通常無線タグ回路素子収納体を着脱可能な通常収納体設置ホルダと、個別印字手段とを備えている。これにより、各ラベル作成処理部ごとに、通常収納体設置用ホルダに設置した通常無線タグ回路素子収納体より、個別搬送手段で互いに通信周波数が異なる無線タグ回路素子を備えたタグ媒体を搬送し、個別タグアクセス手段で各無線タグ回路素子に対応した異なる通信周波数で情報送受信を行い、個別印字手段で対応する印字を行うことで、複数種類の印字付き無線タグラベルを一括して作成することができる。
【００１３】
第３発明は、上記第１発明において、前記搬送手段は、前記複数種類の無線タグ回路素子に対応した複数のタグ媒体を搬送するために共通に１つ設けられた共通搬送手段であり、前記タグアクセス手段は、前記複数種類の無線タグ回路素子に関わる前記複数種類の通信周波数それぞれを用いて情報送受信するための複数の個別タグアクセス手段、若しくは、１つの共通タグアクセス手段から構成されており、前記共通搬送手段により供給された前記タグ媒体又はこれに貼り合わされる被印字媒体に所定の印字を行う共通印字手段を設けたことを特徴とする。
【００１４】
本願第３発明においては、共通搬送手段が複数種類の通信周波数の無線タグ回路素子を備えた複数のタグ媒体を搬送し、個別タグアクセス手段(又は共通タグアクセス手段)が上記複数種類の通信周波数をそれぞれ使い分けて対応する無線タグ回路素子と情報送受信を行い、共通印字手段で対応する印字を行うことで、複数種類の印字付き無線タグラベルを一括して作成することができる。このとき、共通搬送手段及び共通印字手段を用いることで、別々の手段を用いる場合に比べ部品点数を低減して製造コストを低減し、また装置全体の小型化を図ることもできる。
【００１５】
第４発明は、上記第３発明において、前記複数のタグ媒体をそれぞれ供給可能に収納した複数の通常無線タグ回路素子収納体を選択的に抽出して前記共通搬送手段による搬送可能位置へセットする収納体設置手段を有し、前記共通印字手段は、前記収納体設置手段で設置された前記通常無線タグ回路素子収納体から前記共通搬送手段により供給された前記タグ媒体又は前記被印字媒体に所定の印字を行うことを特徴とする。
【００１６】
収納体設置手段で複数の通常無線タグ回路素子収納体を選択抽出し、その搬送可能位置にセットされた通常無線タグ回路素子収納体から共通搬送手段でタグ媒体及び被印字媒体を搬送して供給し、その供給されたタグ媒体又は被印字媒体に共通印字手段で印字を行う。このようにして、収納体設置手段でセットして搬送することにより、複数種類の無線タグ回路素子に対応した複数の通常無線タグ回路素子収納体を操作者が交換することなく、搬送手段及び印字手段を共通化しつつ、複数種類の周波数に対応した無線タグラベルを作成することができる。
【００１７】
第５発明は、上記第３発明において、前記複数種類の無線タグ回路素子が混合配置された１つの前記タグ媒体を供給可能に収納した１つの混合無線タグ回路素子収納体を着脱可能な混合収納体設置ホルダを有し、前記共通印字手段は、前記混合収納体設置ホルダに設置された前記混合無線タグ回路素子収納体から前記共通搬送手段により供給された前記タグ媒体又は前記被印字媒体に所定の印字を行い、前記複数の個別タグアクセス手段、若しくは、前記１つの共通タグアクセス手段は、前記共通搬送手段により供給された前記１つのタグ媒体に備えられた前記複数種類の無線タグ回路素子に対し前記複数種類の通信周波数を用いて情報送受信を行うことを特徴とする。
【００１８】
本願第５発明においては、混合収納体設置ホルダに設置された混合無線タグ回路素子収納体から共通搬送手段が複数種類の通信周波数の無線タグ回路素子を備えた複数のタグ媒体を搬送し、個別タグアクセス手段(又は共通タグアクセス手段)が上記複数種類の通信周波数をそれぞれ使い分けて対応する無線タグ回路素子と情報送受信を行う。また共通搬送手段で供給されたタグ媒体又は被印字媒体に共通印字手段で対応する印字を行うことで、１つの混合無線タグ回路素子収納体から複数種類の印字付き無線タグラベルを一括して作成することができる。このとき、共通搬送手段及び共通印字手段を用いることで、別々の手段を用いる場合に比べ部品点数を低減して製造コストを低減し、また装置全体の小型化を図ることもできる。また１つの混合無線タグ回路素子収納体に複数種類の無線タグ回路素子を配置しこれらを用いて無線タグラベルを作成することにより、複数の無線タグ回路素子収納体を操作者が交換することなく、複数種類の周波数に対応した無線タグラベルを作成することができる。
【００１９】
第６発明は、上記第１乃至第５発明のいずれかにおいて、前記搬送手段は、前記複数種類の無線タグ回路素子として、短波を通信周波数とする短波用無線タグ回路素子と極超短波を通信周波数とする極超短波用無線タグ回路素子とを備えたタグ媒体を搬送し、前記タグアクセス手段は、前記短波用無線タグ回路素子に短波を用いて情報送受信を行い、前記極超短波用無線タグ回路素子に極超短波を用いて情報送受信を行うことを特徴とする。
【００２０】
これにより、操作手段の１回の操作に対応したタグラベル作成指令で、実質的に同一の情報を持つ、短波用無線タグ回路素子を備えた短波用無線タグラベルと、極超短波用無線タグ回路素子を備えた極超短波用無線タグラベルとを作成することができる。これにより、短波と極超短波との互いの欠点を補いつつ利点を活用することができるので、信頼性の高い情報通信を確実に行うことができる。
【００２１】
第７発明は、上記第１乃至第６発明のいずれかにおいて、前記連携制御手段は、前記複数種類の無線タグ回路素子をそれぞれ用いた複数種類の無線タグラベルを、一括して作成するように、前記搬送手段及び前記タグアクセス手段を連携制御する複数種類ラベル作成処理モードと、単一種類の無線タグ回路素子を用いた無線タグラベルを作成するように、前記搬送手段及び前記タグアクセス手段を連携制御する単一種類ラベル作成処理モードとを備えていることを特徴とする。
【００２２】
これにより、必要に応じて、単一種類の通信周波数に対応した単一種類の無線タグラベルを（従来と同様に）作成することも可能となるので、使用態様の幅が広がり、さらに利便性を向上することができる。
【００２３】
第８発明は、上記第７発明において、前記指令入力手段は、前記複数種類ラベル作成処理モード若しくは前記単一種類ラベル作成処理モードに対応した識別子を含む前記タグラベル作成指令を入力し、前記連携制御手段は、前記タグラベル作成指令に含まれる前記識別子に応じて、前記複数種類ラベル作成処理モード若しくは前記単一種類ラベル作成処理モードの切替を行うモード切替手段を備える
ことを特徴とする。
【００２４】
これにより、操作者側の操作に応じて、識別子を付与したタグラベル作成指令によって複数周波数の無線タグラベルの作成と単一周波数の無線タグラベルの作成とを切り替えることが可能となる。
【００２５】
上記目的を達成するために、第９発明は、タグラベル作成装置のカートリッジホルダに着脱可能に構成された無線タグ回路素子カートリッジであって、複数種類の通信周波数にそれぞれ対応した複数種類の無線タグ回路素子を混合配置したタグテープを、当該タグテープの長手方向と略直交する軸の周りに巻回したタグテープロールを有することを特徴とする。
【００２６】
本願第９発明の無線タグ回路素子カートリッジにおいては、タグテープロールに巻回したタグテープに、複数種類の通信周波数にそれぞれ対応した複数種類の無線タグ回路素子が混合配置されている。これにより、このカートリッジをタグラベル作成装置のカートリッジに設置して搬送手段でタグテープを搬送し、タグアクセス手段で上記複数種類の通信周波数をそれぞれ使い分けて対応する無線タグ回路素子と情報送受信を行うことで、１つのカートリッジから複数種類の周波数に対応した複数種類の無線タグラベルを一括して作成することが可能となる。これにより、それぞれに利点と欠点とがある各通信周波数を併用して、互いの通信周波数の欠点を補うことができるので、信頼性の高い情報通信を確実に行える無線タグラベルを実現することができる。
【００２７】
また、このように、１つの無線タグ回路素子カートリッジに複数種類の無線タグ回路素子を配置しこれらを用いて無線タグラベルを作成することにより、複数の無線タグ回路素子収納体を操作者が交換することなく、複数種類の周波数に対応した無線タグラベルを作成することができる。
【００２８】
上記目的を達成するために、第１０発明は、無線タグラベルを作成するためのタグラベル作成指令を出力する指令出力手段と、情報を記憶するＩＣ回路部と情報を送受信するタグ側アンテナとを有する無線タグ回路素子を備えたタグ媒体を搬送するための搬送手段と、前記搬送手段で搬送される前記タグ媒体の前記無線タグ回路素子に対し情報送受信を行うためのタグアクセス手段とをそれぞれ有する複数のタグラベル作成装置とを有するタグラベル作成システムであって、前記複数のタグラベル作成装置のそれぞれは、前記搬送手段で、前記無線タグ回路素子の通信周波数が互いに異なるタグ媒体を搬送し、前記タグアクセス手段で、互いに異なる前記通信周波数を用いて対応する前記無線タグ回路素子に対し情報送受信を行い、前記複数のタグラベル作成装置全体として、前記指令出力手段からの前記タグラベル作成指令に応じ、異なる複数種類の無線タグラベルを一括して作成することを特徴とする。
【００２９】
本願第１０発明においては、複数のタグラベル作成装置のそれぞれが、搬送手段と、タグアクセス手段とを有する。そして、指令出力手段から出力されたタグラベル作成指令に基づき、各タグラベル作成装置ごとに、搬送手段で互いに通信周波数が異なる無線タグ回路素子を備えたタグ媒体を搬送し、タグアクセス手段で各無線タグ回路素子に対応した異なる通信周波数で情報送受信を行うことで、複数種類の無線タグラベルを一括して作成することができる。
【００３０】
以上のようにして、操作手段の１回の操作に対応したタグラベル作成指令で、実質的に同一の情報を持ち互いに異なる通信周波数である複数の無線タグラベルを作成することができる。これにより、それぞれに利点と欠点とがある各通信周波数を併用して、互いの通信周波数の欠点を補うことができるので、信頼性の高い情報通信を確実に行える無線タグラベルを実現することができる。
【００３１】
第１１発明は、上記第１０発明において、前記複数のタグラベル作成装置は、前記搬送手段で、短波を前記通信周波数とする短波用無線タグ回路素子を備える前記タグ媒体を搬送し、前記タグアクセス手段で、短波を用いて前記短波用無線タグ回路素子に対し情報送受信を行う短波用タグラベル作成装置と、前記搬送手段で、極超短波を前記通信周波数とする極超短波用無線タグ回路素子を備える前記タグ媒体を搬送し、前記タグアクセス手段で、極超短波を用いて前記極超短波用無線タグ回路素子に対し情報送受信を行う極超短波用タグラベル作成装置とを含むことを特徴とする。
【００３２】
これにより、操作手段の１回の操作に対応したタグラベル作成指令で、実質的に同一の情報を持つ、短波用無線タグ回路素子を備えた短波用無線タグラベルと、極超短波用無線タグ回路素子を備えた極超短波用無線タグラベルとを作成することができる。これにより、短波と極超短波との互いの欠点を補いつつ利点を活用することができるので、信頼性の高い情報通信を確実に行うことができる。
【発明の効果】
【００３３】
本発明によれば、信頼性の高い通信を行える無線タグラベルを作成することができる。
【発明を実施するための最良の形態】
【００３４】
以下、本発明の実施の形態を図面を参照しつつ説明する。
【００３５】
本発明の第１の実施形態を図１〜図６により説明する。本実施形態は、互いに異なる複数種類の通信周波数を用いる無線タグラベルを作成する複数のタグラベル作成装置を備えたタグラベル作成システムの実施形態である。
【００３６】
図１は、本実施形態のタグラベル作成システムを表わす概念図である。このタグラベル作成システム１は、パソコン等の操作端末２（指令出力手段）と、この操作端末２と通信ネットワーク３（通信回線）を介して接続された複数の（この例では２つの）タグラベル作成装置４Ａ，４Ｂとを備えている。
【００３７】
タグラベル作成装置４Ａ（ＵＨＦ帯ラベルプリンタ、極超短波用タグラベル作成装置）は、情報の送受信にＵＨＦ帯の通信周波数を使用する無線タグラベル（以下適宜、「ＵＨＦラベル」という）Ｔ1aを作成するためのものである。タグラベル作成装置４Ｂ（ＨＦ帯ラベルプリンタ、短波用タグラベル作成装置）は、情報の送受信にＨＦ帯の通信周波数を使用する無線タグラベル（以下適宜、「ＨＦラベル」という）Ｔ1bを作成するためのものである。タグラベル作成装置４Ａ，４Ｂの上面には、無線タグラベルＴ1a，Ｔ1bの作成に使用する無線タグ回路素子Ｔo（図５参照）を収容したカートリッジ１００ａ，１００ｂ（無線タグ回路素子カートリッジ。図２参照）を出し入れする開閉蓋５が設けられ、正面には作成された無線タグラベルＴ1a，Ｔ1bを取り出す排出部６が設けられている。
【００３８】
図２は、本実施形態のタグラベル作成システムに備えられた上記タグラベル作成装置４Ａ，４Ｂの詳細構造を表す概念的構成図である。
【００３９】
なお、タグラベル作成装置４Ａとタグラベル作成装置４Ｂとは、作成する無線タグラベルＴ1a，Ｔ1bに対応し、カートリッジ１００ａ，１００ｂに収容したタグ媒体の無線タグ回路素子ＴoがＵＨＦ用であるかＨＦ用であるかという点で互いに異なっている。また、無線タグ回路素子Ｔoにアクセスして情報を送受信するタグアクセス手段が、ＵＨＦ帯用のアンテナ１４ａ（後述）及び高周波回路２１ａ（後述）であるか、ＨＦ帯用のアンテナ１４ｂ（後述）及び高周波回路２１ｂ（後述）であるかという点が互いに異なっている。これらの点を除いては、基本的に互いに同一の構成であるため、同一の図を共通に用いて説明する。
【００４０】
図２において、上記カートリッジ１００ａ，１００ｂ（以下適宜、「カートリッジ１００」という）は、帯状の基材テープ１０１（タグ媒体）が巻回された第１ロール１０２（本来は渦巻き状であるが簡略化して同心円で図示している）と、上記基材テープ１０１と略同じ幅である透明なカバーフィルム１０３（被印字媒体）が巻回された第２ロール１０４（本来は渦巻き状であるが簡略化して同心円で図示している）と、インクリボン１０５を繰り出すリボン供給側ロール１１１と、印字後のリボン１０５を巻取るリボン巻取りローラ１０６と、カートリッジ１００から基材テープ１０１を繰り出して、基材テープ１０１とカバーフィルム１０３とを押圧し接着させ印字済タグラベル用テープ１１０（タグ媒体）としつつ矢印で示す方向にテープ送りをするテープ送りローラ１０７とを有している。
【００４１】
基材テープ１０１には、上記無線タグラベルＴoがテープ長手方向に沿って所定間隔で配設されている。タグラベル作成装置４Ａに使用するカートリッジ１００ａの基材テープ１０１には、ＵＨＦ帯の通信周波数で情報の送受信が行われる無線タグ回路素子Ｔoが設けられ、タグラベル作成装置４Ｂに使用するカートリッジ１００ｂの基材テープ１０１には、ＨＦ帯の通信周波数で情報の送受信が行われる無線タグ回路素子Ｔoが設けられている。
【００４２】
また装置本体８０は、上記カバーフィルム１０３に所定の印字（印刷）を行う印字ヘッド１０（印字手段）と、この印字ヘッド１０への通電を制御する印刷駆動回路２５と、上記リボン巻取りローラ１０６を駆動するリボン巻取りローラ駆動軸１１と、上記テープ送りローラ１０７を駆動するテープ送りローラ駆動軸（搬送手段）１２と、このテープ送りローラ駆動軸１２及び上記リボン巻取りローラ駆動軸１１を駆動する例えばパルスモータであるカートリッジ用モータ２３と、この印字カートリッジ用モータ２３の駆動を制御するカートリッジ駆動回路２４と、印字駆動回路２５と、印字済タグラベル用テープ１１０を所定のタイミングで順次切断して所定の長さの無線タグラベルＴを生成するカッタ１５（切断手段）と、このカッタ１５を駆動して切断動作を行わせるカッタ用ソレノイド２６と、このソレノイド２６を制御するソレノイド駆動回路２７と、切断された印字済タグラベル用テープ１１０（無線タグラベルＴ）に備えられている無線タグ回路素子Ｔoに対し高周波（上記のようにＵＨＦ帯又はＨＦ帯である）を用いた無線通信によって信号の送受を行って情報を書き込む装置側アンテナ１４ａ，１４ｂ（以下適宜、単に「装置側アンテナ１４」又は「アンテナ１４」という）と、無線タグ回路素子Ｔoへ書き込む書き込み情報信号を作成するとともに、上記装置側アンテナ１４を介し上記無線タグ回路素子Ｔoへアクセスする（読み取り又は書き込みを行う）ための高周波回路２１ａ，２１ｂ（以下適宜、単に「高周波回路２１」という）と、タグラベル作成装置４Ａ，４Ｂ（以下適宜、単に「タグラベル作成装置４」という）全体の動作を制御するための制御回路３０とを有する。なお、アンテナ１４と高周波回路２１とがタグアクセス手段を構成する。
【００４３】
タグラベル作成装置４Ａのアンテナ１４ａは上記ＵＨＦ帯通信に対応したアンテナ（例えばダイポールアンテナ）であり、タグラベル作成装置４Ｂのアンテナ１４ｂは上記ＨＦ帯通信に対応したアンテナ（例えばループコイルアンテナ）である。
【００４４】
制御回路３０は、いわゆるマイクロコンピュータであり、詳細な図示を省略するが、中央演算処理装置であるＣＰＵ、ＲＯＭ、及びＲＡＭ等から構成され、ＲＡＭの一時記憶機能を利用しつつＲＯＭに予め記憶されたプログラムに従って信号処理を行うようになっている。またこの制御回路３０は、入出力インターフェース３１を介し上記ネットワーク３に接続され、このネットワーク３に接続された前述の操作端末２との間で情報のやりとりが可能となっている。
【００４５】
上記構成において、上記カートリッジ用モータ２３の駆動力によってリボン巻取りローラ１０６及びテープ送りローラ１０７が矢印で示す方向にそれぞれ同期して回転駆動される。このとき、上記テープ送りローラ駆動軸１２とサブロール１０９及びプラテンロール１０８とはギヤ（図示せず）にて連結されており、テープ送りローラ駆動軸１２の駆動に伴いテープ送りローラ１０７、サブロール１０９、及びプラテンロール１０８が回転する。この結果、第１ロール１０２から４層構造（後述）の基材テープ１０１が繰り出されテープ送りローラ１０７へ供給されるとともに、第２ロール１０４よりカバーフィルム１０３が繰り出される。
【００４６】
この繰り出されたカバーフィルム１０３は、その裏面側（すなわち上記基材テープ１０１と接着される側）に配置された上記リボン供給側ロール１１１及びリボン巻取りローラ１０６で駆動されるリボン１０５とともに印字ヘッド１０とプラテンロール１０８との間に狭持され、上記印字ヘッド１０に押圧されることで当該カバーフィルム１０３の裏面に当接させられる。このとき、上記印刷駆動回路２５により印字ヘッド１０の複数の発熱素子が通電され、カバーフィルム１０３の裏面の所定の領域に文字や記号等の印字Ｒ（後述の図５参照）が印刷される。カバーフィルム１０３への印字が終了したインクリボン１０５は、リボン巻取りローラ駆動軸１１の駆動によりリボン巻取りローラ１０６に巻取られる。
【００４７】
印字後のカバーフィルム１０３は、上記基材テープ１０１とともにテープ送りローラ１０７及びサブロール１０９との間に狭持され、この結果互いに接着されて一体化され、印字済タグラベル用テープ１１０として形成される。
【００４８】
上述した構成により、タグラベル作成装置４Ａ，４Ｂは、カバーフィルム１０３へ上記印字Ｒの印刷を行い、カバーフィルム１０３と基材テープ１０１とを貼り合わせて印字済タグラベル用テープ１１０を形成する。そして、印字済みタグラベル用テープ１１０に備えられている無線タグ回路素子Ｔoとそれぞれ装置側アンテナ１４ａ，１４ｂを介してＵＨＦ帯、ＨＦ帯の高周波により情報の送受を行って、無線タグ回路素子ＴoのＩＣ回路部１５１に実質的に互いに同一の（ラベル作成装置４Ａとラベル作成装置４Ｂとにおいて互いに同一の）内容を有する情報を書き込み、その後印字済タグラベル用テープ１１０を所定の長さに切断する。これにより、タグラベル作成装置４ＡではＵＨＦ帯用の無線タグラベルＴ1a（ＵＨＦラベル）を作成し、タグラベル作成装置４ＢではＨＦ帯用の無線タグラベルＴ1b（ＨＦラベル）を作成する。
【００４９】
図３は、上記高周波回路２１ａ，２１ｂの詳細機能を表す機能ブロック図である。この図３において、高周波回路２１は、アンテナ１４を介し無線タグ回路素子Ｔoに対して信号を送信する送信部３２と、アンテナ１４により受信された無線タグ回路素子Ｔoからの反射波を入力する受信部３３と、送受分離器３４とから構成される。
【００５０】
送信部３２は、制御回路３０からの制御信号（搬送波発生指令信号）に応じ、無線タグ回路素子ＴoのＩＣ回路部１５１の無線タグ情報にアクセスする(読み取り又は書き込み)ための搬送波（ＵＨＦ帯又はＨＦ帯の高周波）を発生させる水晶振動子３５、ＰＬＬ（Phase  Locked  Loop）３６、及びＶＣＯ（Voltage  Controlled  Oscillator）３７と、上記信号処理回路２２から供給される信号に基づいて上記発生させられた搬送波を変調（この例では信号処理回路２２からの「ＴＸ＿ＡＳＫ」信号に基づく振幅変調）する送信乗算回路３８（但し振幅変調の場合は増幅率可変アンプ等を用いてもよい）と、その送信乗算回路３８により変調された変調波（無線タグ情報）を、制御回路３０からの「ＴＸ＿ＰＷＲ」信号によって増幅率を決定し増幅する可変送信アンプ３９とを備えている。そして、上記発生される搬送波は、好適には、タグラベル作成装置４Ａの高周波回路２１ａではＵＨＦ帯の周波数（例えば２．４５ＧＨｚの極超短波）を用い、タグラベル作成装置４Ｂの高周波回路２１ｂではＨＦ帯の周波数（例えば１３．５６ＭＨｚの短波）を用いており、上記送信アンプ３９の出力は、送受分離器３４を介してアンテナ１４に伝達されて無線タグ回路素子Ｔoに供給される。なお、無線タグ情報は上記のように変調した信号に限られず、単なる搬送波のみの場合もある。
【００５１】
受信部３３は、アンテナ１４により受信された無線タグ回路素子Ｔoからの反射波と上記発生させられた搬送波とを乗算し復調する受信第１乗算回路４０と、その受信第１乗算回路４０の出力から必要な帯域の信号のみを取り出すための第１バンドパスフィルタ４１と、この第１バンドパスフィルタ４１の出力を増幅する受信第１アンプ４３と、この受信第１アンプ４３の出力をさらに増幅してデジタル信号に変換する第１リミッタ４２と、上記アンテナ１４により受信された無線タグ回路素子Ｔoからの反射波と上記発生された後に移相器４９により位相が９０°遅れた搬送波とを乗算する受信第２乗算回路４４と、その受信第２乗算回路４４の出力から必要な帯域の信号のみを取り出すための第２バンドパスフィルタ４５と、この第２バンドパスフィルタ４５の出力を増幅する受信第２アンプ４７と、この受信第２アンプ４７の出力をさらに増幅してデジタル信号に変換する第２リミッタ４６とを備えている。そして、上記第１リミッタ４２から出力される信号「ＲＸＳ−Ｉ」及び第２リミッタ４６から出力される信号「ＲＸＳ−Ｑ」は、上記信号処理回路２２に入力されて処理される。また、受信第１アンプ４３及び受信第２アンプ４７の出力は、ＲＳＳＩ（Received  Signal  Strength  Indicator)回路４８にも入力され、それらの信号の強度を示す信号「ＲＳＳＩ」が信号処理回路２２に入力されるようになっている。
【００５２】
図４は、上記無線タグ回路素子の機能的構成を表す機能ブロック図である。この図４において、無線タグ回路素子Ｔoは、タグラベル作成装置４側のアンテナ１４と上記所定の周波数（ＵＨＦ帯又はＨＦ帯）を用いて非接触で信号の送受信を行うアンテナ１５２と、このアンテナ１５２に接続されたＩＣ回路部１５１とを有している。
【００５３】
アンテナ１５２は、タグラベル作成装置４Ａに装着されるカートリッジ１００ａの基材テープ１０１に備えられる無線タグ回路素子Ｔoでは（上記ＵＨＦ帯の通信周波数に対応して）、ダイポールアンテナが用いられる。また、タグラベル作成装置４Ｂに装着されるカートリッジ１００ｂの基材テープ１０１に備えられる無線タグ回路素子Ｔoでは（上記ＨＦ帯の通信周波数に対応して）ループコイルアンテナが用いられる。
【００５４】
ＩＣ回路部１５１は、アンテナ１５２により受信された搬送波を整流する整流部１５３と、この整流部１５３により整流された搬送波のエネルギを蓄積しＩＣ回路部１５１の駆動電源とするための電源部１５４と、上記アンテナ１５２により受信された搬送波からクロック信号を抽出して制御部１５５に供給するクロック抽出部１５６と、所定の情報信号を記憶し得るメモリ部１５７と、上記アンテナ１５２に接続された変復調部１５８と、上記整流部１５３、クロック抽出部１５６、及び変復調部１５８等を介して上記無線タグ回路素子Ｔoの作動を制御するための上記制御部１５５とを備えている。
【００５５】
変復調部１５８は、アンテナ１５２により受信された上記ラベル作成装置７′のアンテナ１４からの通信信号の復調を行うと共に、上記制御部１５５からの返信信号に基づき、アンテナ１５２が受信した搬送波を変調し、アンテナ１５２より反射波として再送信する。
【００５６】
制御部１５５は、上記変復調部１５８により復調された受信信号を解釈し、上記メモリ部１５７において記憶された情報信号に基づいて返信信号を生成し、上記変復調部１５８により返信する制御等の基本的な制御を実行する。
【００５７】
クロック抽出部１５６は受信した信号からクロック成分を抽出して制御部１５５にクロックを抽出するものであり、受信した信号のクロック成分の速度に対応したクロックを制御部１５５に供給する。
【００５８】
図５は、上記タグラベル作成装置４Ａ，４Ｂにより作成された無線タグラベルＴ1a，Ｔ1bの側断面構造を表す縦断面図である。
【００５９】
図５において、無線タグラベルＴ1a，Ｔ1b（以下適宜、単に「無線タグラベルＴ」という）は、カバーフィルム１０３の裏面に４層構造の上記基材テープ１０１が接着された５層構造（＝印字済タグラベル用テープ１１０と同構造）となっており、カバーフィルム１０３側（図５中上側）よりその反対側へ向かって、粘着層１０１ａ、ＰＥＴ（ポリエチレンテレフタラート）等から成る色付きのベースフィルム１０１ｂ、貼り付け対象に貼り付けるための粘着剤を備えた粘着層１０１ｃ、この粘着層１０１ｃの貼り付け側を覆う剥離紙１０１ｄの順序で積層され構成されている。このような構造により、無線タグラベルＴは、最終的に貼り付け対象に貼り付ける際に、上記の剥離紙１０１ｄを剥がすことで粘着層１０１ｃにより接着できるようになっている。
【００６０】
粘着層１０１ｃには、上記のＩＣ回路部１５１及びアンテナ１５２（なお図５中のアンテナ１５２は無線タグラベルＴ1aに備えられるダイポールアンテナを模式的に示している）からなる無線タグ回路素子Ｔoが形成されており、このＩＣ回路部１５１には、タグラベル作成装置４側のアンテナ１４との通信により情報が書き込まれている。この情報書き込みは、前述したように、タグラベル作成装置４Ａで作成されるＵＨＦラベルＴ1aでは、ＵＨＦ帯の通信周波数による情報の送受により実行され、タグラベル作成装置４Ｂで作成されるＨＦラベルＴ1bでは、ＨＦ帯の通信周波数による情報の送受により実行される。
【００６１】
カバーフィルム１０３の裏面における無線タグ回路素子Ｔoに対応する部位には、上記書き込まれた情報に対応する文字や記号等の印字Ｒが印刷されている。
【００６２】
図６は、本実施形態のタグラベル作成システム１による無線タグラベル作成時に操作端末２の制御回路によって実行される制御手順を表すフローチャートである。このフローは、操作端末２が作動されると開始される。
【００６３】
まず、ステップＳ１において、キーボード等の操作手段を介した操作者の操作信号を入力する。この操作信号には、無線タグラベルＴを作成するためのタグラベル作成指令のほか、無線タグラベルＴへ印刷する印刷データや無線タグ回路素子Ｔoへ書き込むための通信データが含まれる。また、本実施形態では、無線タグラベルＴを作成するときに、前述したように（それぞれの無線タグ回路素子Ｔoに実質的に同一の情報が書き込まれた）ＵＨＦラベルＴ1aとＨＦラベルＴ1bの両方を一括して同時に作成するのが基本（複数種類ラベル作成処理モード）であるが、ＵＨＦラベルＴ1a若しくはＨＦラベルＴ1bのみを作成するモード（単一種類ラベル作成処理モードとしてのＵＨＦラベル作成モード又はＨＦラベル作成モード）も予め用意されている。そして、上記操作信号には、これら３つのモードのうちいずれを選択したかのモード選択情報（識別子）も含まれている。
【００６４】
その後、ステップＳ２では、ステップＳ１で入力した操作信号に含まれる上記モード選択情報に基づき、ＵＨＦラベルＴ1aとＨＦラベルＴ1bの両方を同時に作成するか否かを判定する（各請求項記載のモード切替手段に相当する機能）。複数種類ラベル作成処理モードが選択されていれば判定が満たされ、ステップＳ３へ移る。複数種類ラベル作成処理モードが選択されていなければ判定が満たされず、ステップＳ５へ移る。
【００６５】
ステップＳ３では、ネットワーク３を介してタグラベル作成装置４Ａにタグラベル作成指示信号を出力する。これにより、タグラベル作成装置４Ａは、この操作端末２からのタグラベル作成指示信号に基づき、上述のように動作して、ＵＨＦラベルＴ1aの作成を行う。
【００６６】
その後、ステップＳ４で、ネットワーク３を介してタグラベル作成装置４Ｂにタグラベル作成指示信号を出力する。これにより、タグラベル作成装置４Ｂは、この操作端末２からのタグラベル作成指示信号に基づき、上述したように動作して、ＨＦラベルＴ1bを作成する。なお、ステップＳ３とステップＳ４は順序が逆でもよい。
【００６７】
一方、ステップＳ５では、ステップＳ１で入力した操作信号に含まれる上記モード選択情報に基づき、ＵＨＦラベルＴ1aを作成するか否かを判定する。ＵＨＦラベル作成モードが選択されていれば判定が満たされてステップＳ６へ移り、ＵＨＦラベル作成モードが選択されていなければ（＝ＨＦラベル作成モードが選択されていれば）判定が満たされず、ステップＳ７へ移る。
【００６８】
ステップＳ６では、上記ステップＳ３と同様、ネットワーク３を介してタグラベル作成装置４Ａにタグラベル作成指示信号を出力し、ＵＨＦラベルＴ1aを作成させる。
【００６９】
ステップＳ７では、上記ステップＳ４と同様、ネットワーク３を介してタグラベル作成装置４Ｂにタグラベル作成指示信号を出力して、ＨＦラベルＴ1aを作成させる。
【００７０】
ステップＳ４、又はステップＳ６、若しくはステップＳ７が完了したら、このフローを終了する。
【００７１】
以上説明したように、本実施形態のタグラベル作成システム１は、操作端末２から出力された操作信号に含まれるタグラベル作成指令に応じて、タグラベル作成装置４Ａ，４Ｂが、それぞれ基材テープ１０１を搬送し、各無線タグ回路素子Ｔoに対し異なる通信周波数（この例ではＵＨＦ帯又はＨＦ帯）で情報送受信を行って実質同一内容の情報書き込みを行うことで、互いに異なる種類の無線タグラベルＴ1a（この例ではＵＨＦラベル），Ｔ1b（この例ではＨＦラベル）を一括して作成する。
【００７２】
すなわち、操作端末２の１回の操作によるタグラベル作成指令で、実質的に同一の情報を持ち互いに異なる通信周波数（ＵＨＦ帯、ＨＦ帯）の無線タグラベルＴ1a，Ｔ1bを一度に作成することができる。これにより、それぞれに利点と欠点とがある複数種類の通信周波数（この例では極超短波と短波）を併用し、互いの通信周波数の欠点を補うことができる（この例では短波と極超短波との互いの欠点を補いつつ利点を活用することができる）ので、信頼性の高い情報通信を確実に行える無線タグラベルを作成することができる。
【００７３】
本発明の第２の実施形態を図７〜図１０により説明する。本実施形態は、ＵＨＦラベル作成とＨＦラベル作成機能の両方を１つのタグラベル作成装置に内蔵させた場合の実施形態である。第１実施形態と同等の部分には同一の符号を付し、適宜説明を省略又は簡略化する。
【００７４】
図７は、本実施形態のタグラベル作成装置４Ｃを備えたタグラベル作成システム１を表わす概念図であり、上記第１実施形態の図１に相当する図である。図８は、タグラベル作成装置４Ｃの概略構成を表わす模式図である。
【００７５】
図７及び図８において、本実施形態のタグラベル作成装置４Ｃは、ＵＨＦラベルＴ1aを作成するＵＨＦラベル作成処理部７ａと、ＨＦラベルＴ1bを作成するＨＦラベル作成処理部７ｂの２つのラベル作成処理部を有している。詳細を後述するように、ＵＨＦラベル作成処理部７ａは上記第１実施形態のタグラベル作成装置４Ａと同等の機能を備え、ＨＦラベル作成処理部７ｂは上記第１実施形態のタグラベル作成装置４Ｂと同等の機能を備えている。これらの結果、１つの装置４Ｃ内に、２つの上記タグラベル作成装置４Ａ，４Ｂを備えたのと同等の形態に構成されている。
【００７６】
タグラベル作成装置４Ｃの上面には、ＵＨＦ帯用の無線タグ回路素子Ｔoを収容した上記カートリッジ１００ａ（ＵＨＦカートリッジ）とＨＦ帯用の無線タグ回路素子Ｔoを収容した上記カートリッジ１００ｂ（ＨＦカートリッジ）を装置本体８０内に格別に出し入れする各開閉蓋５が設けられ、タグラベル作成装置４Ｃの側面には、作成されたＵＨＦラベルＴ1aとＵＨＦラベルＴ1bを格別に排出する上記排出部６がそれぞれ設けられている。
【００７７】
またタグラベル作成装置４Ｃ内には、各ラベル作成処理部７ａ，７ｂを制御する共通の中央制御部２８が設けられている。この中央制御部２８は、入出力インターフェース３１を介してネットワーク３に接続され、これにより、タグラベル作成装置４Ｃは、前述したパソコン等の操作端末２とネットワーク３を介して接続されている。
【００７８】
図９は、本実施形態のタグラベル作成装置４Ｃに備えられた上記ラベル作成処理部７ａ，７ｂの詳細構造を表す概念的構成図である。
【００７９】
図９において、ラベル作成処理部７ａ，７ｂは、図２を参照して説明した第１実施形態における各タグララベル作成装置４Ａ，４Ｂの詳細構造とほぼ同等の構成となっている。
【００８０】
すなわち、ラベル作成処理部７ａ，７ｂ（以下適宜、単に「ラベル作成処理部７」という）は、上記基材テープ１０１を搬送する上記テープ送りローラ駆動軸１２（個別搬送手段、搬送手段）と、基材テープ１０１の無線タグ回路素子Ｔoに対し情報送受信を行うアンテナ１４ａ及び高周波回路２１ａ（個別タグアクセス手段、タグアクセス手段）、又は、アンテナ１４ｂ及び高周波回路２１ｂ（個別タグアクセス手段、タグアクセス手段）とを有している。また、ラベル作成処理部７は、上記カートリッジ１００（通常無線タグ回路素子収納体)を着脱可能な上記カートリッジホルダ９０（通常収納体設置ホルダ)と、上記カバーフィルム１０３に所定の印字を行う上記印字ヘッド１０（個別印字手段、印字手段）とを有する（なお、タグ媒体としての基材テープ１０１とカバーフィルム１０３貼り合わせを行わない場合には基材テープそのものに印字を行う。後述参照）。
【００８１】
すなわち、各ラベル作成処理部７ａ，７ｂでは、前述と同様、カバーフィルム１０３へ上記印字Ｒの印刷を行い、カバーフィルム１０３と基材テープ１０１とを貼り合わせて印字済タグラベル用テープ１１０を形成する。そして、印字済タグラベル用テープ１１０に備えられている無線タグ回路素子Ｔoとそれぞれ装置側アンテナ１４ａ，１４ｂを介してＵＨＦ帯、ＨＦ帯の高周波により情報の送受を行って、無線タグ回路素子ＴoのＩＣ回路部１５１に実質的に互いに同一の（ラベル作成処理部７ａとラベル作成処理部７ｂとにおいて互いに同一の）内容を有する情報を書き込み、その後印字済タグラベル用テープ１１０を所定の長さに切断する。これにより、ラベル作成処理部７ａではＵＨＦ帯用の無線タグラベルＴ1a（ＵＨＦラベル）、ラベル作成処理部７ｂではＨＦ帯用の無線タグラベルＴ1b（ＨＦラベル）を作成する。
【００８２】
図１０は、本実施形態のタグラベル作成装置４Ｃによる無線タグラベル作成時に上記中央制御部２８によって実行される制御手順を表すフローチャートである。このフローは、タグラベル作成装置４Ｃが作動されると開始される。
【００８３】
まず、ステップＳ１１において、入出力インターフェース３１を介し、上記第１実施形態における図６のステップＳ１と同様、操作端末２のキーボード等の操作手段を介した操作者の操作信号を入力する（指令入力手段）。この操作信号には、無線タグラベルＴを作成するためのタグラベル作成指令のほか、無線タグラベルＴへ印刷する印刷データや無線タグ回路素子Ｔoへ書き込むための通信データが含まれる。なお、本実施形態では、無線タグラベルＴを作成するときに、第１実施形態と異なり、ＵＨＦラベルＴ1aとＨＦラベルＴ1bの両方を一括して同時に作成するものとする（常に上記複数種類ラベル作成処理モード相当の機能が実行される）。但し、図６のフローのステップＳ２と同様の機能（＝モード切替手段）を設けて、前述のＵＨＦラベル作成モードやＨＦラベル作成モードも実行可能としてもよい。この場合、操作者側の操作に応じて、複数周波数の無線タグラベルＴの作成（複数種類ラベル作成処理モード）と、単一周波数の無線タグラベルＴの作成（単一種類ラベル作成処理モードとしてのＵＨＦラベル作成モードやＨＦラベル作成モード）とを切り替えることができる。したがって、必要に応じて、単一種類の通信周波数に対応した単一種類の無線タグラベル（この例ではＵＨＦラベル又はＨＦラベル）のみを（従来と同様に）作成することも可能となるので、使用態様の幅が広がり、さらに利便性を向上することができる。
【００８４】
その後、ステップＳ１２に移り、ＨＦラベル作成処理部７ｂに（詳細には制御回路３０に）タグラベル作成処理を実行するための指示信号を出力する。これにより、ＨＦラベル作成処理部７ｂは、このタグラベル作成指示信号に基づき、上述のように動作して、ＨＦラベルＴ1bの作成処理を行う（なおこのとき、ＨＦラベルＴ1bとＵＨＦラベルＴ1aとでは互いに異なるタグＩＤを用いるため、ＨＦラベルＴ1bに対し問いかけ信号を出力してタグＩＤを読み取り、この読み取ったタグＩＤにより書き込み対象の無線タグ回路素子Ｔoを特定して情報書き込みを行う）。このとき、ラベル作成処理部７ｂはＨＦラベルの作成が無事に（通信エラー等が生じることなく）終了したらその旨を表す信号（ラベル作成完了通知）を中央制御部２８に出力するようになっており、次のステップＳ１３において、このラベル作成完了通知が入力されたか（言い換えればＨＦラベルＴ1bの作成に成功したか）を判定する。
【００８５】
ＨＦラベル作成が成功していればステップＳ１３の判定が満たされ、ステップＳ１４Ａへ移行する。ＨＦラベル作成が不成功（失敗）の場合は判定が満たされず、ステップＳ１４Ｂへ移行する。
【００８６】
ステップＳ１４Ａでは、ＵＨＦラベル作成処理部７aに（詳細には制御回路３０）にタグラベル作成処理を実行するための指示信号を出力する。これにより、ＵＨＦラベル作成処理部７ａは、このタグラベル作成指示信号に基づき、上述のように動作して、ＵＨＦラベルＴ1aの作成を行う（上述と同様、ＵＨＦラベルＴ1aに対し問いかけ信号を出力してタグＩＤを読み取り、この読み取ったタグＩＤにより書き込み対象の無線タグ回路素子Ｔoを特定して情報書き込みを行う）。このとき、ラベル作成処理部７ａも、上記同様、ＵＨＦラベルの作成が無事に（通信エラー等が生じることなく）終了したらその旨を表す信号（ラベル作成完了通知）を中央制御部２８に出力するようになっており、次のステップＳ１５Ａにおいて、このラベル作成完了通知が入力されたか（言い換えればＵＨＦラベルＴ1aの作成に成功したか）を判定する。
【００８７】
ＵＨＦラベル作成が成功していればステップＳ１５Ａの判定が満たされ、ステップＳ１６Ａへ移行する。ＵＨＦラベル作成が不成功（失敗）の場合は判定が満たされず、ステップＳ１７Ａへ移行する。  
【００８８】
ステップＳ１６Ａでは、ステップＳ１３でのＨＦラベル作成成功、及び、ステップＳ１５ＡでのＵＨＦラベル作成成功に応じて、入出力インターフェース３１及びネットワーク３を介して操作端末２にＨＦラベル、ＵＨＦともラベル作成に成功した旨の報告信号（両ラベルのタグＩＤを含む）を送信する。これにより、操作端末２において、例えば適宜の表示手段において対応する作成完了表示を行い、操作者に対しＨＦラベルＴ1b及びＵＨＦラベルＴ1aが一括して同時に作成された旨を報知することができる。また、ステップＳ１７Ａでは、ステップＳ１３でのＨＦラベル作成成功、及び、ステップＳ１５ＡでのＵＨＦラベル作成失敗に応じて、入出力インターフェース３１及びネットワーク３を介して操作端末２にＨＦラベルのみラベル作成に成功した旨の報告信号（タグＩＤを含む）を送信する。これにより、操作端末２において、例えば適宜の表示手段において対応する表示を行い、操作者に対しＨＦラベルＴ1bの作成に成功したがＵＨＦラベルＴ1aの作成に失敗した旨を報知することができる。
【００８９】
一方、ステップＳ１４Ｂでは、上記ステップＳ１４Ａ同様、ＵＨＦラベル作成処理部７aに（詳細には制御回路３０）にタグラベル作成処理を実行するための指示信号を出力する。これにより、ＵＨＦラベル作成処理部７ａは、このタグラベル作成指示信号に基づき、上述のように動作して、ＵＨＦラベルＴ1aの作成を行う（上述と同様、ＵＨＦラベルＴ1aに対し問いかけ信号を出力してタグＩＤを読み取り、この読み取ったタグＩＤにより書き込み対象の無線タグ回路素子Ｔoを特定して情報書き込みを行う）。その後、上記ステップＳ１５Ａ同様、次のステップＳ１５Ｂにおいて、前述のラベル作成完了通知が入力されたか（言い換えればＵＨＦラベルＴ1aの作成に成功したか）を判定する。
【００９０】
ＵＨＦラベル作成が成功していればステップＳ１５Ｂの判定が満たされ、ステップＳ１６Ｂへ移行する。ＵＨＦラベル作成が不成功の場合は判定が満たされず、ステップＳ１７Ｂへ移行する。
【００９１】
ステップＳ１６Ｂでは、上記ステップＳ１６Ａ同様、ステップＳ１３でのＨＦラベル作成失敗、及び、ステップＳ１５ＢでのＵＨＦラベル作成成功に応じて、入出力インターフェース３１及びネットワーク３を介して操作端末２にＵＨＦラベルのみラベル作成に成功した旨の報告信号（タグＩＤを含む）を送信する。これにより、操作端末２において、例えば適宜の表示手段において対応する表示を行い、操作者に対しＨＦラベルＴ1bの作成に失敗したがＵＨＦラベルＴ1aの作成は成功した旨を報知することができる。また、ステップＳ１７Ｂでは、上記ステップＳ１７Ａ同様、ステップＳ１３でのＨＦラベル作成失敗、及び、ステップＳ１５ＢでのＵＨＦラベル作成失敗に基づき、入出力インターフェース３１及びネットワーク３を介して操作端末２にエラー信号を送信する。これにより、操作端末２において、例えば適宜の表示手段において対応するエラー表示を行い、操作者に対しＨＦラベルＴ1bもＵＨＦラベルＴ1aも作成に失敗した旨を報知する。
【００９２】
上記ステップＳ１６Ａ、ステップＳ１６Ｂ、ステップＳ１７Ａ、ステップＳ１７Ｂが完了したら、このルーチンを終了する。なお、以上においては、ステップＳ１２でのＨＦラベル作成処理→ステップＳ１４Ａ又はステップＳ１４ＢのＵＨＦラベル作成処理、の順序としたが、この逆に、ＵＨＦラベル作成処理→ＨＦラベル作成処理の順序であってもよい。
【００９３】
なお、上記において、ステップＳ１２、ステップＳ１４Ａ、ステップＳ１４Ｂが、各請求項記載の、指令入力手段でタグラベル作成指令が入力されたとき、その指令に対応した、複数種類の無線タグ回路素子をそれぞれ用いた複数種類の無線タグラベルを、一括して作成するように、搬送手段及びタグアクセス手段を連携制御する連携制御手段を構成する。
【００９４】
以上説明したように、本発明の第２実施形態のタグラベル作成装置４Ｃは、操作端末２から出力された操作信号に含まれるタグラベル作成指令に応じて、中央制御部２８が、各ラベル作成処理部７ａ，７ｂを制御する。これにより、各ラベル作成処理部７ａ，７ｂにおいて、それぞれ基材テープ１０１が搬送され、無線タグ回路素子Ｔoに対し異なる通信周波数（この例ではＵＨＦ帯又はＨＦ帯）で情報送受信を行って実質同一内容の情報書き込みが行われて、互いに異なる種類の無線タグラベルＴ1a（この例ではＵＨＦラベル），Ｔ1b（この例ではＨＦラベル）が一括して作成される。
【００９５】
すなわち、上記第１実施形態と同様、操作端末２の１回の操作によるタグラベル作成指令で、実質的に同一の情報を持ち互いに異なる通信周波数（ＵＨＦ帯、ＨＦ帯）の無線タグラベルＴ1a，Ｔ1bを一度に作成することができる。これにより、それぞれに利点と欠点とがある複数種類の通信周波数（この例では極超短波と短波）を併用し、互いの通信周波数の欠点を補うことができる（この例では短波と極超短波との互いの欠点を補いつつ利点を活用することができる）ので、信頼性の高い情報通信を確実に行える無線タグラベルを作成することができる。
【００９６】
本発明の第３の実施形態を図１１〜図１５により説明する。本実施形態は、カートリッジを切り替え装着することで装置構成を簡素化する場合の実施形態である。第１及び第２実施形態と同等の部分には同一の符号を付し、適宜説明を省略又は簡略化する。
【００９７】
図１１は、本実施形態のタグラベル作成装置４Ｄを備えたタグラベル作成システム１を表わす概念図であり、上記第２実施形態の図７に相当する図である。図１２は、タグラベル作成装置４Ｄの概略構成を表わす模式図である。
【００９８】
図１１及び図１２において、本実施形態のタグラベル作成装置４Ｄは、１つの装置内に、ＵＨＦラベル作成用の上記カートリッジ１００ａ（ＵＨＦカートリッジ）と、ＨＦラベル作成用の上記カートリッジ１００ｂ（ＨＦカートリッジ）とを選択的に切り替え可能に装着するようになっている。
【００９９】
また、上記第２実施形態における中央制御部２８は省略され、上記制御回路３０が上記入出力インターフェース３１に接続され、これにより、タグラベル作成装置４Ｄは、パソコン等の操作端末２とネットワーク３を介して接続されている。また、入出力インターフェース３１には、カートリッジ切替における駆動制御（詳細は後述）を行うために新たに設けたカートリッジ制御部２９が接続される。さらに入出力インターフェース３１には、上記カートリッジ駆動回路２４、上記印字駆動回路２５、及び上記高周波回路２１に代えて設けられる高周波回路２１′等が接続される。なお、高周波回路２１′には、ＵＨＦ通信処理部２１ＡとＨＦ通信処理部２１Ｂとが備えられている（詳細は後述）。
【０１００】
タグラベル作成装置４Ｄの上面には、ＵＨＦカートリッジ１００ａとＵＨＦカートリッジ１０ｂを装置本体８０内に出し入れするための上記開閉蓋５が設けられる。また、タグラベル作成装置４Ｄの正面には、作成されたＵＨＦラベルＴ1aとＵＨＦラベルＴ1bを排出する共通の上記排出部６が設けられている。
【０１０１】
図１３は、本実施形態のタグラベル作成装置４Ｄの詳細構造を表す概念的構成図である。
【０１０２】
図１３において、本実施形態のタグラベル作成装置４Ｄは、上記基材テープ１０１を搬送するテープ送りローラ駆動軸（共通搬送手段、搬送手段）１２と、上記カバーフィルム１０３に所定の印字を行う印字ヘッド１０（共通印字手段、印字手段）と、基材テープ１０１の無線タグ回路素子Ｔoに対し情報送受信を行う上記アンテナ１４ａ（ＵＨＦ帯通信用）及び上記アンテナ１４ｂ（ＨＦ帯通信用）と、上記高周波回路２１′とを有している。
【０１０３】
また、本実施形態の大きな特徴として、タグラベル作成装置４Ｄは、基材テープ１０１をそれぞれ収納したカートリッジ１００ａ（ＵＨＦ帯通信対応），１００ｂ（ＨＦ帯通信対応）を選択的に抽出し、上記テープ送りローラ駆動軸１２による搬送可能位置（すなわちカートリッジホルダ９０）へセットするカートリッジ切替器８１（収納体設置手段)を有している。
【０１０４】
カートリッジ切替器８１は、カートリッジ切替アーム８２と、この切替アーム８２を動作させる駆動力を発生するモータ８３とを備えている。制御回路３０の制御信号に基づき、カートリッジ切替制御部２９によってモータ駆動回路９４が制御される。
【０１０５】
前述のようにカートリッジホルダ９０にはＵＨＦカートリッジ１００ａ及びＨＦカートリッジ１００ｂのいずれもが装着可能である。カートリッジホルダ９０の近傍には、装着待ちのそれらカートリッジ１００ａ，１００ｂが貯留される待機ホルダ９１が設けられている。上記モータ駆動回路９４からの駆動信号によって上記モータ８３の駆動力により、カートリッジ切替アーム８２が駆動されることで、カートリッジの切り替えが行われる。すなわち、待機ホルダ９１に装着されているカートリッジ１００を取り出してカートリッジホルダ９０に搬送して装着したり、逆に、カートリッジホルダ９０に装着されているカートリッジ１００を取り外して待機ホルダ９１に搬送して仮置したりすることができる。
【０１０６】
すなわち、本実施形態のタグラベル作成装置４Ｄでは、カートリッジ切替器８１で待機ホルダ９１の複数のカートリッジ１００を選択抽出してカートリッジホルダ９０へセットする。そのセットしたカートリッジ１００ａ（または１００ｂ）のカバーフィルム１０３及び基材テープ１０１を上記テープ送りローラ駆動軸１２の駆動力で搬送する。そして、上記第１及び第２実施形態と同様、印字ヘッド１０でカバーフィルム１０３に対して上記印字Ｒの印刷を行い、さらに基材テープ１０１を貼り合わせて印字済タグラベル用テープ１１０を形成する。そして、印字済タグラベル用テープ１１０（基材テープ１０１）に備えられた無線タグ回路素子Ｔoと、印字ヘッド１０より（共通の搬送路の）搬送方向下流側に設けられたＵＨＦ帯通信用のアンテナ１４ａ（又はＨＦ帯通信用のアンテンナ１４ｂ）を介し、ＵＨＦ帯（又はＨＦ帯）の高周波により情報の送受を行う。この情報送受によって、無線タグ回路素子ＴoのＩＣ回路部１５１に、実質的に互いに同一の（カートリッジ１００ａを用いたときとカートリッジ１００ｂを用いたときとにおいて互いに同一の）内容を有する情報を書き込み、その後印字済タグラベル用テープ１１０を所定の長さに切断する。これにより、ＵＨＦ帯用の無線タグラベルＴ1a（ＵＨＦラベル）又はＨＦ帯用の無線タグラベルＴ1b（ＨＦラベル）を作成する。
【０１０７】
図１４は、上記高周波回路の詳細機能を表す機能ブロック図である。
【０１０８】
この図１４において、高周波回路２１′は、上記アンテナ１４ａに接続されたＵＨＦ通信処理部２１Ａと、上記アンテナ１４ｂに接続されたＨＦ通信処理部２１Ｂとを備えている。
【０１０９】
ＵＨＦ通信処理部２１Ａは、カートリッジホルダ９０にＵＨＦ帯通信に対応した上記カートリッジ１００ａが装着された場合に、そのカートリッジ１００ａからの印字済タグラベル用テープ１１０に備えられた上記無線タグ回路素子Ｔoに対し、アンテナ１４ａを介して通信を行うためのものである。一方、ＨＦ通信処理部２１Ｂは、カートリッジホルダ９０にＨＦ帯通信に対応した上記カートリッジ１００ｂが装着された場合に、そのカートリッジ１００ｂからの印字済タグラベル用テープ１１０に備えられた上記無線タグ回路素子Ｔoに対し、アンテナ１４ｂを介して通信を行うためのものである。すなわち、これらＵＨＦ通信処理部２１Ａ及びＨＦ通信処理部２１Ｂは、制御回路３０からの信号（後述）に応じて選択的に用いられ、対応するアンテナ１４ａ又は１４ｂを選択的に利用して情報送受信を行う。なお、アンテナ１４ａ及びＵＨＦ通信処理部２１Ａ、若しくは、アンテナ１４ｂ及びＨＦ通信処理部２１Ｂが、それぞれ各請求項記載の個別タグアクセス手段を構成する。なお、適宜の手法でアンテナや送受信部の少なくとも一部又は全部を共通化する構成（＝１つの共通タグアクセス手段）としてもよい。
【０１１０】
そして、ＵＨＦ通信処理部２１Ａ及びＨＦ通信処理部２１Ｂは、それぞれ、上記第１実施形態において図３を用いて説明した高周波回路２１ａ及び高周波回路２１ｂとほぼ同一の機能的構成を備えている。
【０１１１】
すなわちＵＨＦ通信処理部２１Ａには、上記図３の水晶振動子３５、ＰＬＬ３６、ＶＣＯ３７、送信乗算回路３８、可変送信アンプ３９にそれぞれ対応して同等の機能を備えた水晶振動子４３０Ａ、ＰＬＬ４３１Ａ、ＶＣＯ４３２Ａ、送信乗算回路４１６Ａ、可変送信アンプ４１７Ａを有する（上記図３の送信部３２と同等の）送信部４１２Ａが設けられている。またＵＨＦ通信処理部２１Ａには、上記図３の受信第１乗算回路４０、第１バンドパスフィルタ４１、受信第１アンプ４３、第１リミッタ４２、移相器４９、受信第２乗算回路４４、第２バンドパスフィルタ４５、受信第２アンプ４７、第２リミッタ４６、ＲＳＳＩ回路４８にそれぞれ対応して同等の機能を備えた受信第１乗算回路４１８Ａ、第１バンドパスフィルタ４１９Ａ、受信第１アンプ４２１Ａ、第１リミッタ４２０Ａ、移相器４２７Ａ、受信第２乗算回路４２２Ａ、第２バンドパスフィルタ４２３Ａ、受信第２アンプ４２５Ａ、第２リミッタ４２４Ａ、ＲＳＳＩ回路４２６Ａを有する（上記図３の受信部３３と同等の）受信部４１３Ａが設けられている。そして、これら送信部４１２Ａ及び受信部４１３Ａは、上記図３の送受分離器３４と同等の機能を備えた送受分離器４１４Ａを介し、アンテナ１４ａに接続されている。なお発生される搬送波としてはＵＨＦ帯の周波数（例えば２．４５ＧＨｚの極超短波）が用いられる。
【０１１２】
また、ＨＦ通信処理部２１Ｂには、上記図３の水晶振動子３５、ＰＬＬ３６、ＶＣＯ３７、送信乗算回路３８、可変送信アンプ３９にそれぞれ対応して同等の機能を備えた水晶振動子４３０Ｂ、ＰＬＬ４３１Ｂ、ＶＣＯ４３２Ｂ、送信乗算回路４１６Ｂ、可変送信アンプ４１７Ｂを有する（上記図３の送信部３２と同等の）送信部４１２Ｂが設けられている。またＨＦ通信処理部２１Ｂには、上記図３の受信第１乗算回路４０、第１バンドパスフィルタ４１、受信第１アンプ４３、第１リミッタ４２、移相器４９、受信第２乗算回路４４、第２バンドパスフィルタ４５、受信第２アンプ４７、第２リミッタ４６、ＲＳＳＩ回路４８にそれぞれ対応して同等の機能を備えた受信第１乗算回路４１８Ｂ、第１バンドパスフィルタ４１９Ｂ、受信第１アンプ４２１Ｂ、第１リミッタ４２０Ｂ、移相器４２７Ｂ、受信第２乗算回路４２２Ｂ、第２バンドパスフィルタ４２３Ｂ、受信第２アンプ４２５Ｂ、第２リミッタ４２４Ｂ、ＲＳＳＩ回路４２６Ｂを有する（上記図３の受信部３３と同等の）受信部４１３Ｂが設けられている。そして、これら送信部４１２Ｂ及び受信部４１３Ｂは、上記図３の送受分離器３４と同等の機能を備えた送受分離器４１４Ｂを介し、アンテナ１４ｂに接続されている。なお発生される搬送波としてはＨＦ帯の周波数（例えば１３．５６ＭＨｚの短波）が用いられる。
【０１１３】
図１５は、本実施形態のタグラベル作成装置４Ｄによる無線タグラベル作成時に制御回路３０によって実行される制御手順を表すフローチャートである。このフローは、タグラベル作成装置４Ｄが作動されると開始される。
【０１１４】
まず、ステップＳ２１において、上記第２実施形態における図１０のステップＳ１１と同様、入出力インターフェース３１を介し、操作端末２のキーボード等の操作手段を介した操作者の操作信号を入力する（指令入力手段）。この操作信号には、無線タグラベルＴを作成するためのタグラベル作成指令のほか、無線タグラベルＴへ印刷する印刷データや無線タグ回路素子Ｔoへ書き込むための通信データが含まれる。なお、本実施形態では、無線タグラベルＴを作成するときに、第１実施形態と異なり、ＵＨＦラベルＴ1aとＨＦラベルＴ1bの両方を一括して同時に作成するものとする（常に上記複数種類ラベル作成処理モード相当の機能が実行される）。但し、前述と同様、ＵＨＦラベル作成モードやＨＦラベル作成モードも実行可能としてもよい。
【０１１５】
その後、ステップＳ２２に移り、カートリッジ切替制御部２９にＨＦカートリッジの装着指令を出力する。これにより、上述したように、カートリッジ切替器８１がＨＦカートリッジ１００ｂをカートリッジホルダ９０に装着する。
【０１１６】
そして、ステップＳ２３に移り、ＨＦ帯に対応したタグラベル作成処理を実行する。すなわち、カートリッジ駆動回路２４、印字駆動回路２５、ＨＦ通信処理部２１Ｂ、ソレノイド駆動回路２７に制御信号を出力してそれらを連携制御する。そして前述のように、カートリッジ１００ｂのカバーフィルム１０３及び基材テープ１０１を搬送し、カバーフィルム１０３に対し印字を行って基材テープ１０１を貼り合わせ、形成された印字済タグラベル用テープ１１０の無線タグ回路素子ＴoとＨＦ帯を用いてアンテナ１４ｂを介し情報書き込みを行い、切断してＨＦ帯用の無線タグラベルＴ1bを作成する。このとき、上記搬送、印字、通信、切断等にエラー発生がなくＨＦラベルの作成が無事に終了したらその旨が適宜の手法（各種センサ等）で検出されるようになっており、次のステップＳ２４において、この検出結果に基づきＨＦラベルＴ1bの作成に成功したかを判定する。
【０１１７】
ＨＦラベル作成が成功していればステップＳ２４の判定が満たされ、ステップＳ２５へ移行する。ＨＦラベル作成が不成功の場合は判定が満たされず、ステップＳ２９へ移行する。
【０１１８】
ステップＳ２５では、カートリッジ切替制御部２９にＵＨＦカートリッジの装着指令を出力する。これにより、上述したように、カートリッジ切替器８１がＵＨＦカートリッジ１００ａをカートリッジホルダ９０に装着する。
【０１１９】
そして、ステップＳ２６に移り、ＵＨＦ帯に対応したタグラベル作成処理を実行する。すなわち、上記ステップＳ２３と同様、カートリッジ駆動回路２４、印字駆動回路２５、ＵＨＦ通信処理部２１Ａ、ソレノイド駆動回路２７に制御信号を出力してそれらを連携制御する。つまり、カートリッジ１００ａのカバーフィルム１０３及び基材テープ１０１を搬送し、カバーフィルム１０３に対し印字を行って基材テープ１０１を貼り合わせ、形成された印字済タグラベル用テープ１１０の無線タグ回路素子ＴoとＵＨＦ帯を用いてアンテナ１４ａを介し情報書き込みを行い、切断してＵＨＦ帯用の無線タグラベルＴ1aを作成する。このとき、上記同様、搬送、印字、通信、切断等にエラー発生がなくＵＨＦラベルの作成が無事に終了したらその旨が適宜の手法（各種センサ等）で検出されるようになっており、次のステップＳ２７において、この検出結果に基づきＵＨＦラベルＴ1aの作成に成功したかを判定する。
【０１２０】
ＵＨＦラベル作成が成功していればステップＳ２７の判定が満たされ、ステップＳ２８へ移行する。ＵＨＦラベル作成が不成功の場合は判定が満たされず、上記ステップＳ２９へ移行する。なお、ステップＳ２２〜ステップＳ２４と、ステップＳ２５〜ステップＳ２７とは、互いに順序が逆でもよい。
【０１２１】
ステップＳ２８では、前述のステップＳ１６と同様、ステップＳ２４でのＨＦラベル作成成功、及び、ステップＳ２７でのＵＨＦラベル作成成功に応じて、入出力インターフェース３１及びネットワーク３を介して操作端末２に印刷成功信号を送信する。一方、ステップＳ２９では、前述のステップＳ１７と同様、ステップＳ２４でのＨＦラベル作成不成功、又は、ステップＳ２７でのＵＨＦラベル作成不成功に基づき、入出力インターフェース３１及びネットワーク３を介して操作端末２にエラー信号を送信する。
【０１２２】
上記ステップＳ２８又はステップＳ２９が完了したら、このルーチンを終了する。
【０１２３】
なお、上記において、ステップＳ２３及びステップＳ２６が、各請求項記載の、指令入力手段でタグラベル作成指令が入力されたとき、その指令に対応した、複数種類の無線タグ回路素子をそれぞれ用いた複数種類の無線タグラベルを、一括して作成するように、搬送手段及びタグアクセス手段を連携制御する連携制御手段を構成する。
【０１２４】
以上説明したように、本発明の第３実施形態のタグラベル作成装置４Ｄは、操作端末２から出力された操作信号に含まれるタグラベル作成指令に応じて、制御回路３０が、各部を制御し、ＨＦラベル作成処理及びＵＨＦラベル作成処理を続けて実行する。すなわち、カートリッジ切替器８１で最初にカートリッジ１００のいずれか一方（上記の例ではカートリッジ１００ｂ）が選択されてセットされ、基材テープ１０１が搬送され、無線タグ回路素子Ｔoに対し対応する周波数（この例ではＨＦ帯）で情報送受信を行って情報書き込みが行われ、無線タグラベルＴ1bが作成される。さらにこれと一括するように連続して、カートリッジ切替器８１でカートリッジ１００のいずれか他方（上記の例ではカートリッジ１００ａ）が選択されてセットされ、基材テープ１０１が搬送され、無線タグ回路素子Ｔoに対し対応する周波数（この例ではＵＨＦ帯）で情報送受信を行って（上記ＨＦ帯の通信時と実質同一の）情報書き込みが行われ、無線タグラベルＴ1aが作成される。
【０１２５】
このようにして、上記第１及び第２実施形態と同様、操作端末２の１回の操作によるタグラベル作成指令で、実質的に同一の情報を持ち互いに異なる通信周波数（ＵＨＦ帯、ＨＦ帯）の無線タグラベルＴ1a，Ｔ1bを一度に作成することができる。これにより、それぞれに利点と欠点とがある複数種類の通信周波数（この例では極超短波と短波）を併用し、互いの通信周波数の欠点を補うことができる（この例では短波と極超短波との互いの欠点を補いつつ利点を活用することができる）ので、信頼性の高い情報通信を確実に行える無線タグラベルを作成することができる。
【０１２６】
また、本実施形態では特に、カートリッジ１００ａ，１００ｂを共通の搬送路にセットし共通搬送手段であるテープ送りローラ駆動軸１２で搬送し、また共通印字手段である印字ヘッド１０で印字を行うことができる。この結果、別々の搬送手段や印字手段を用いる上記第１実施形態や第２実施形態に比べ、部品点数を低減して製造コストを低減し、また装置全体の小型化を図ることもできる。
【０１２７】
また、上記のようにカートリッジ切替器８１でカートリッジ１００を自動交換することにより、複数種類のカートリッジ１００を操作者が交換する手間がなく、利便性を向上することができる。
【０１２８】
本発明の第４実施形態を図１６〜図２０により説明する。本実施形態は、１つのカートリッジ内の基材テープにＨＦ帯通信用無線タグ回路素子とＵＨＦ帯通信用無線タグ回路素子を混在配置して用いる場合の実施形態である。第１〜第３実施形態と同等の部分には同一の符号を付し、適宜説明を省略又は簡略化する。
【０１２９】
図１６は、本実施形態のタグラベル作成装置４Ｅを備えたタグラベル作成システム１を表わす概念図であり、上記第２及び第３実施形態の図７や図１１に相当する図である。図１７は、タグラベル作成装置４Ｅの概略構成を表わす模式図である。また図１８は、タグラベル作成装置４Ｅの詳細構造を表す概念的構成図である。
【０１３０】
これら図１６〜図１８において、本実施形態のタグラベル作成装置４Ｅでは、カートリッジホルダ９０（混合収納体設置ホルダ）に対し、図１９に示すような、ＵＨＦ帯通信に対応した無線タグ回路素子ＴoとＨＦ帯通信に対応した無線タグ回路素子Ｔoとが混在配置（この例では長手方向に沿って交互に配置）混合した基材テープ１０１′（タグテープ、タグ媒体）を（テープ長手方向と略直交する軸の周りに）巻回した第１ロール１０２′（タグテープロール）を収納したカートリッジ１００ｃ（混合無線タグ回路素子収納体）が着脱可能に装着される。これにより、１つの基材テープ１０１′からＵＨＦ用タグラベルＴ1a、及び、ＨＦ用タグラベルＴ1bの１種類の無線タグラベルを作成可能となっている（詳細は後述）。これに対応して、カートリッジ切替器８１やカートリッジ制御部２９は省略されている。
【０１３１】
また、タグラベル作成装置４Ｅの上面には、上記第１実施形態のタグラベル作成装置４Ａ又は４Ｂにほぼ対応する開閉蓋５が設けられ、正面にもタグラベル作成装置４Ａ又は４Ｂと同様の無線タグラベルＴ1a及びＴ1bを取り出す排出部６が設けられている。
【０１３２】
上記以外の構成は、上記タグラベル作成装置４Ｄとほぼ同様であるため、説明を省略する。
【０１３３】
上記構成の本実施形態のタグラベル作成装置４Ｅでは、カートリッジ１００ｃのカバーフィルム１０３及び基材テープ１０１′を上記テープ送りローラ軸１２の駆動力で搬送する。そして、上記第３実施形態と同様、印字ヘッド１０でカバーフィルム１０３に対して上記印字Ｒの印刷を行い、さらに基材テープ１０１′を貼り合わせて印字済タグラベル用テープ１１０′（タグ媒体）を形成する。そして、印字済タグラベル用テープ１１０′（基材テープ１０１′）に備えられた無線タグ回路素子Ｔoと、印字ヘッド１０より（単一の搬送路の）搬送方向下流側に設けられたＵＨＦ帯通信用のアンテナ１４ａ（又はＨＦ帯通信用のアンテンナ１４ｂ）を介し、ＵＨＦ帯（又はＨＦ帯）の高周波により情報の送受を行う。この情報送受によって、無線タグ回路素子ＴoのＩＣ回路部１５１に、実質的に互いに同一の（ＵＨＦ帯用の無線タグ回路素子Ｔoを用いたときとＨＦ帯用の無線タグ回路素子Ｔoを用いたときとにおいて互いに同一の）内容を有する情報を書き込み、その後印字済タグラベル用テープ１１０′を所定の長さに切断する。これにより、ＵＨＦ帯用の無線タグラベルＴ1a（ＵＨＦラベル）又はＨＦ帯用の無線タグラベルＴ1b（ＨＦラベル）を作成する。
【０１３４】
図２０は、本実施形態のタグラベル作成装置４Ｅによる無線タグラベル作成時に制御回路３０によって実行される制御手順を表すフローチャートであり、上記第３実施形態の図１５に対応する図である。図１５と同等の部分には同一の符号を付し、説明を省略又は簡略化する。
【０１３５】
図２０において、このフローは、図１５のフローからステップＳ２２とステップＳ２５とを省略したものとなっている。このフローは、タグラベル作成装置４Ｅが作動されると開始される。
【０１３６】
すなわち、ステップＳ２１において、上記図１５と同様、操作端末２のキーボード等の操作手段を介した操作者の操作信号（タグラベル作成指令等を含む）を入力する（指令入力手段）。
【０１３７】
その後、ステップＳ２３に移り、前述と同様、ＨＦ帯に対応したタグラベル作成処理を実行する。すなわち、カートリッジ駆動回路２４、印字駆動回路２５、ＨＦ通信処理部２１Ｂ、ソレノイド駆動回路２７に制御信号を出力してそれらを連携制御する。そして前述のように、カートリッジ１００ｃのカバーフィルム１０３及び基材テープ１０１′を搬送し、カバーフィルム１０３に対し印字を行って基材テープ１０１′を貼り合わせ、形成された印字済タグラベル用テープ１１０′の無線タグ回路素子ＴoとＨＦ帯を用いてアンテナ１４ｂを介し情報書き込みを行う。このとき、前述のように基材テープ１０１′（貼り合わせ後の印字済タグラベル用テープ１１０′）にはＵＨＦ帯通信用の無線タグ回路素子ＴoとＨＦ帯通信用の無線タグ回路素子Ｔoとが混在して配置されていることから、制御回路３０が適宜の搬送制御を行って、アンテナ１４ｂの通信範囲にＨＦ帯通信用の無線タグ回路素子Ｔoが存在するように搬送及び位置決めを行うようにする（例えばテープに設けた識別子をセンサで光学的・磁気的に検出しその検出結果に基づき搬送制御する等）。そして、情報書き込みの後、切断してＨＦ帯用の無線タグラベルＴ1bを作成する。
【０１３８】
このとき、前述と同様、上記搬送、印字、通信、切断等にエラー発生がなくＨＦラベルの作成が無事に終了したらその旨が適宜の手法（各種センサ等）で検出されるようになっており、上記同様のステップＳ２４において、ＨＦラベルＴ1bの作成に成功したかを判定する。
【０１３９】
ＨＦラベル作成が成功していればステップＳ２４の判定が満たされ、ステップＳ２６へ移行する。ＨＦラベル作成が不成功の場合は判定が満たされず、ステップＳ２９へ移行する。
【０１４０】
ステップＳ２６では、前述と同様、ＨＦ帯に対応したタグラベル作成処理を実行する。すなわち、カートリッジ駆動回路２４、印字駆動回路２５、ＵＨＦ通信処理部２１Ａ、ソレノイド駆動回路２７に制御信号を出力してそれらを連携制御する。そして前述のように、カートリッジ１００ｃのカバーフィルム１０３及び基材テープ１０１′を搬送し、カバーフィルム１０３に対し印字を行って基材テープ１０１′を貼り合わせ、形成された印字済タグラベル用テープ１１０′の無線タグ回路素子ＴoとＵＨＦ帯を用いてアンテナ１４ａを介し情報書き込みを行う。このとき、上記同様、制御回路３０の搬送制御で、アンテナ１４ａの通信範囲にＵＨＦ帯通信用の無線タグ回路素子Ｔoが存在するように搬送及び位置決めを行う。そして、情報書き込みの後、切断してＵＨＦ帯用の無線タグラベルＴ1aを作成する。
【０１４１】
このとき、上記同様、ＵＨＦラベルの作成が無事に終了したらその旨が検出されるようになっており、上記同様のステップＳ２７において、ＵＨＦラベルＴ1aの作成に成功したかを判定する。
【０１４２】
ＵＨＦラベル作成が成功していればステップＳ２７の判定が満たされ、上記同様のステップＳ２８へ移行する。ＵＨＦラベル作成が不成功の場合は判定が満たされず、上記ステップＳ２９へ移行する。なお、ステップＳ２３及びステップＳ２４と、ステップＳ２６及びステップＳ２７とは、互いに順序が逆でもよい。
【０１４３】
ステップＳ２８、及び、ステップＳ２９は前述の図１５と同一手順であるので、説明を省略する。
【０１４４】
なお、本実施形態においても、上記ステップＳ２３及びステップＳ２６が、各請求項記載の、指令入力手段でタグラベル作成指令が入力されたとき、その指令に対応した、複数種類の無線タグ回路素子をそれぞれ用いた複数種類の無線タグラベルを、一括して作成するように、搬送手段及びタグアクセス手段を連携制御する連携制御手段を構成する。
【０１４５】
以上説明したように、本発明の第４実施形態のタグラベル作成装置４Ｅは、操作端末２から出力された操作信号に含まれるタグラベル作成指令に応じて、制御回路３０が、各部を制御し、ＨＦラベル作成処理及びＵＨＦラベル作成処理を続けて実行する（逆の順序でもよい）。すなわち、上記の例ではカートリッジ１００ｃの基材テープ１０１′（印字済タグラベル用テープ１１０′）が搬送され、最初にＨＦ帯用の無線タグ回路素子Ｔoに対しＨＦ帯での情報送受信により情報書き込みが行われ、無線タグラベルＴ1bが作成される。その後これと一括するように連続して、基材テープ１０１′（印字済タグラベル用テープ１１０′）が搬送され、ＵＨＦ帯用の無線タグ回路素子Ｔoに対しＵＨＦ帯で情報送受信により（上記ＨＦ帯の通信時と実質同一の）情報書き込みが行われ、無線タグラベルＴ1aが作成される。
【０１４６】
このようにして、上記第３実施形態と同様、操作端末２の１回の操作によるタグラベル作成指令で、実質的に同一の情報を持ち互いに異なる通信周波数（ＵＨＦ帯、ＨＦ帯）の無線タグラベルＴ1a，Ｔ1bを一度に作成することができる。これにより、それぞれに利点と欠点とがある複数種類の通信周波数（この例では極超短波と短波）を併用し、互いの通信周波数の欠点を補うことができる（この例では短波と極超短波との互いの欠点を補いつつ利点を活用することができる）ので、信頼性の高い情報通信を確実に行える無線タグラベルを作成することができる。
【０１４７】
また、本実施形態では特に、カートリッジ１００ａ，１００ｂを同一の搬送路を搬送し、また共通印字手段である印字ヘッド１０で印字を行うことができる。この結果、別々の搬送手段や印字手段を用いる上記第１実施形態や第２実施形態に比べ、部品点数を低減して製造コストを低減し、また装置全体の小型化を図ることもできる。
【０１４８】
また、本実施形態では特に、１つのカートリッジ１００ｃ内に複数種類（ＨＦ帯用、ＵＨＦ帯用）の無線タグ回路素子Ｔoを配置しこれらを用いて無線タグラベルＴを作成することにより、複数種類のカートリッジを操作者が交換する手間がなく、利便性を向上することができる。
【０１４９】
なお、以上においては、移動中の基材テープ１０１，１０１′に対して無線タグ情報の書き込み・読み取りや印字を行う例を示したが、これに限られず、基材テープ１０１，１０１′等を所定位置で停止させて（さらに読み取り・書き込みについては所定の搬送ガイドにて保持した状態としてもよい）上記印字や読み取り・書き込みを行うようにしてもよい。
【０１５０】
また、以上において、印字及び無線タグ回路素子Ｔoへのアクセス（読み取り又は書き込み）の終了した印字済タグラベル用テープ１１０，１１０′をカッタ１５で切断して無線タグラベルＴを作成した場合を例にとって説明したが、これに限られない。すなわち、ラベルに対応した所定の大きさに予め分離されたラベル台紙（いわゆるダイカットラベル）がロールから繰り出されるテープ上に連続配置されているような場合には、カッタ１５で切断しなくても、テープが排出口１６から排出されてきた後にラベル台紙（アクセス済みの無線タグ回路素子Ｔoが備えられかつ対応する印字がなされたもの）のみをテープから剥がして無線タグラベルＴを作成しても良く、本発明はこのようなものに対しても適用できる。
【０１５１】
また、以上においては、無線タグ回路素子Ｔoを備えた基材テープ１０１，１０１′とは別のカバーフィルム１０３に印字を行ってこれらを貼り合わせる方式であったが、これに限られず、基材テープに備えられた被印字テープ層（感熱層、転写層、受像層等）に印字を行う方式（貼りあわせを行わないタイプ）に本発明を適用してもよい。さらに、無線タグ回路素子ＴoのＩＣ回路部１５１から無線タグ情報の読み出し又は書き込みを行うと共に、印字ヘッド１０によってその無線タグ回路素子Ｔoを識別するための印刷を行うものにも限られない。この印刷は必ずしも行われなくともよく、無線タグ情報の読み出し又は書き込みのみを行うものに対し本発明を適用することもできる。
【０１５２】
さらに、以上は、基材テープ１０１，１０１′がリール部材の周りに巻回されてロールを構成し、カートリッジ１００内にそのロールが配置されて基材テープ１０１，１０１′が繰り出される場合を例にとって説明したが、これに限られない。例えば、無線タグ回路素子Ｔoが少なくとも一つ配置された長尺平紙状あるいは短冊状のテープやシート（ロールに巻回されたテープを繰り出した後に適宜の長さに切断して形成したものを含む）を、所定の収納部にスタックして（例えばトレイ状のものに平積み積層して）カートリッジ化し、このカートリッジをタグラベル作成装置側のカートリッジホルダに装着して、上記収納部から移送、搬送して印字及び書き込みを行いタグラベルを作成するようにしてもよい。
【０１５３】
さらには上記ロールを直接タグラベル作成装置側に着脱可能に装着する構成や、長尺平紙状あるいは短冊状のテープやシートをタグラベル作成装置外より１枚ずつ所定のフィーダ機構によって移送しタグラベル作成装置２内へ供給する構成も考えられ、さらにはカートリッジ１００のようなタグラベル作成装置本体側に着脱可能なものにも限られず、装置本体側に着脱不能のいわゆる据え付け型あるいは一体型として第１ロールを設けることも考えられる。この場合も同様の効果を得る。
【０１５４】
また、以上既に述べた以外にも、上記実施形態や各変形例による手法を適宜組み合わせて利用しても良い。
【０１５５】
その他、一々例示はしないが、本発明は、その趣旨を逸脱しない範囲内において、種々の変更が加えられて実施されるものである。
【図面の簡単な説明】
【０１５６】
【図１】本発明の第１実施形態のタグラベル作成システムを表わす概念図である。
【図２】タグラベル作成装置の詳細構造を表す概念的構成図である。
【図３】高周波回路の詳細機能を表す機能ブロック図である。
【図４】無線タグラベルに備えられる無線タグ回路素子の機能的構成を表す機能ブロック図である。
【図５】無線タグラベルの側断面構造を表す縦断面図である。
【図６】無線タグラベル作成時に操作端末によって実行される制御手順を表すフローチャートである。
【図７】本発明の第２実施形態のタグラベル作成装置を備えたタグラベル作成システムを表わす概念図である。
【図８】タグラベル作成装置の概略構成を表す模式図である。
【図９】タグラベル作成装置に備えられたラベル作成処理部の詳細構造を表す概念的構成図である。
【図１０】図７のタグラベル作成装置による無線タグラベル作成時に中央制御部によって実行される制御手順を表すフローチャートである。
【図１１】本発明の第３実施形態のタグラベル作成装置を備えたタグラベル作成システムを表わす概念図である。
【図１２】タグラベル作成装置の概略構成を表わす模式図である。
【図１３】タグラベル作成装置の詳細構造を表す概念的構成図である。
【図１４】タグラベル作成装置に備えられた高周波回路を表す機能ブロック図である。
【図１５】無線タグラベル作成時に制御回路によって実行される制御手順を表すフローチャートである。
【図１６】本発明の第４の実施形態のタグラベル作成装置を備えたタグラベル作成システムを表わす概念図である。
【図１７】タグラベル作成装置の概略構成を表わす模式図である。
【図１８】タグラベル作成装置の詳細構造を表す概念的構成図である。
【図１９】基材テープにおける無線タグ回路素子の配置構成を表わす概念的平面図である。
【図２０】タグラベル作成装置による無線タグラベル作成時に制御回路によって実行される制御手順を表すフローチャートである。
【符号の説明】
【０１５７】
１            ラベル生成システム
２            操作端末（指令出力手段）
４Ａ〜Ｅ      ラベル作成装置
７ａ，ｂ      ラベル作成処理部
１０          印字ヘッド（印字手段；個別印字手段；共通印字手段）
１２          テープ送りローラ駆動軸（搬送手段；個別搬送手段；共通搬送手段）
１４ａ，ｂ    装置側アンテナ（タグアクセス手段；個別タグアクセス手段）
２１ａ，ｂ    高周波回路（タグアクセス手段；個別タグアクセス手段）
２８          中央制御部
２９          カートリッジ切替制御部
３０          制御回路
８１          カートリッジ切替器（収納体設置手段)
９０          カートリッジホルダ（通常収納体設置ホルダ；混合収納体設置ホルダ)
１００ａ，ｂ  カートリッジ（通常無線タグ回路素子収納体）
１００ｃ      カートリッジ（混合無線タグ回路素子収納体）
１０１        基材テープ（タグ媒体）
１０１′      基材テープ（タグテープ、タグ媒体）
１０２′      第１ロール（タグテープロール）
１０３        カバーフィルム（被印字媒体）
１１０        印字済タグラベル用テープ（タグ媒体）
１１０′      印字済タグラベル用テープ（タグ媒体）
Ｔ1a，Ｔ1b    無線タグラベル
Ｔo           無線タグ回路素子
【図１】
2008242653.tif 000003
【図２】
2008242653.tif 000004
【図３】
2008242653.tif 000005
【図４】
2008242653.tif 000006
【図５】
2008242653.tif 000007
【図６】
2008242653.tif 000008
【図７】
2008242653.tif 000009
【図８】
2008242653.tif 000010
【図９】
2008242653.tif 000011
【図１０】
2008242653.tif 000012
【図１１】
2008242653.tif 000013
【図１２】
2008242653.tif 000014
【図１３】
2008242653.tif 000015
【図１４】
2008242653.tif 000016
【図１５】
2008242653.tif 000017
【図１６】
2008242653.tif 000018
【図１７】
2008242653.tif 000019
【図１８】
2008242653.tif 000020
【図１９】
2008242653.tif 000021
【図２０】
2008242653.tif 000022